(57)【要約】【課題】  記録ヘッドを大型化することなく、高速かつ高画質の画像形成が可能な液体噴射記録ヘッドを提供する。【解決手段】  インク供給口４を挟んで、一方は大液滴を吐出する大ノズル１が、他方にはそれより小さい中液滴および小液滴を吐出する中ノズル２および小ノズル３が配置されている。大ノズルの数を中および小ノズルの数より多くすることで、大ノズルによる高速印字を実現するとともに、中ノズルと小ノズルによるフォト高速印字、小ノズルによる高画質印字を実現する。【選択図】  図１
2006076010.tif 000002
【特許請求の範囲】
【請求項１】
液体を供給する液体供給口からの液体を該液体供給口の両側に設けられた複数の吐出口から吐出して記録を行う液体噴射記録ヘッドにおいて、
前記複数の吐出口は、それぞれ吐出口径の異なる第１の吐出口群、第２の吐出口群、第３の吐出口群を備え、
前記第１の吐出口群の吐出口径は他の吐出口群の吐出口径よりも大きく、前記第３の吐出口群の吐出口径は他の吐出口群の吐出口径よりも小さいとともに、
前記第１の吐出口群の吐出口数が、他の吐出口群の吐出口数よりも多いことを特徴とする液体噴射記録ヘッド。
【請求項２】
前記第１の吐出口群は前記液体供給口の片側のみに配置され、該液体供給口の他方には前記第２および第３の吐出口群が配置されていることを特徴とする請求項１に記載の液体噴射記録ヘッド。
【請求項３】
前記第２の吐出口群の吐出口および第３の吐出口群の吐出口が交互に配置されるとともに、該交互に配置された吐出口の配列密度が、前記第１の吐出口群の配置密度よりも高密度であることを特徴とする請求項２に記載の液体噴射記録ヘッド。
【請求項４】
前記第２の吐出口群の吐出口と前記液体供給口との距離が、前記第３の吐出口群の吐出口と前記液体供給口との距離よりも短いことを特徴とする請求項３に記載の液体噴射記録ヘッド。
【請求項５】
前記第１および第２の吐出口群が前記液体供給口の片側に配置され、他方には前記第１および第３の吐出口群が配置されていることを特徴とする請求項１に記載の液体噴射記録ヘッド。
【請求項６】
前記第１の吐出口群の吐出口と前記液体供給口との距離が、前記第２または前記第３の吐出口群の吐出口と前記液体供給口との距離よりも長いことを特徴とする請求項３に記載の液体噴射記録ヘッド。
【請求項７】
前記第１の吐出口群の吐出口が、駆動の時分割に対応した位置に設けられていることを特徴とする請求項１〜６のいずれか１項に記載の液体噴射記録ヘッド。
【請求項８】
液体を供給する液体供給口からの液体を該液体供給口の両側に設けられた複数の吐出口から吐出して記録を行う液体噴射記録ヘッドにおいて、
前記複数の吐出口は、それぞれ吐出口径の異なる第１の吐出口群、第２の吐出口群、第３の吐出口群を備え、
前記第１の吐出口群の吐出口径は他の吐出口群の吐出口径よりも大きく、前記第３の吐出口群の吐出口径は他の吐出口群の吐出口径よりも小さいとともに、
前記第１の吐出口群は前記液体供給口の片側のみに配置され、該液体供給口の他方には前記第２および第３の吐出口群が交互に配置され、
該交互に配置された吐出口の配列密度が、前記第１の吐出口群の配置密度の２倍であることを特徴とする液体噴射記録ヘッド。
【発明の詳細な説明】
【技術分野】
【０００１】
本発明は、液体を吐出し記録を行う液体噴射記録ヘッドに関し、特に液体の吐出量の異なる複数の液滴を利用して記録を行う液体噴射記録ヘッドに関する。
【背景技術】
【０００２】
サーマルインクジェット技術を用いたカラーインクジェットプリンタは年々高解像度化しており、特に、画質を形成するために使用する記録ヘッドにおいては個々の液滴を吐出する吐出口配列の解像度が６００ｄｐｉ、１２００ｄｐｉと年々高解像度化している。
【０００３】
また、画像を形成する吐出インク滴のサイズに関してはグレースケールのハーフトーン部や、カラーフォト画像における中間調、ハイライト部での粒状性を軽減させるべく、特にカラーインクを吐出させる記録ヘッドでは１５ｐｌ程度から５ｐｌ、２ｐｌと年々小液滴化している。
【０００４】
しかし、小液滴、高解像度の記録ヘッドにおいては、フォト画像の印刷出力など高品位のユーザーニーズに対応できるものの、帳票におけるカラーグラフなどの解像度の要求されない粗い画像の印刷出力に対しては、小液滴、高解像度による画像出力データの肥大化、および、データ転送時間を多く必要とする点から、高速印刷の要求には反する結果となる。
【０００５】
これを改善するためには、高速印刷時には比較的大きいサイズの液滴で、少ない出力データサイズで画像を形成できることが望ましく、高画質印刷の場合には液滴サイズを変調させ、形成画像の粒状性を極力少なくすることが望まれるため、同一色インクの記録ヘッドノズル群で異なるサイズの液滴を吐出させ、一色あたりの液滴サイズを変調させることが求められる。
【０００６】
このような要求に対し、例えば、特許文献１には、同一の吐出口から異なるサイズのインク滴を吐出させる手段が開示されている。この場合、同一の吐出口に連通するインク流路内に異なるサイズの電気熱変換素子を配置し、個々の電気熱変換素子の発泡を使い分けることにより、同一の吐出口から複数種類のサイズのインク滴を吐出させることを可能にしている。
【０００７】
また、特許文献２には、大小のサイズのインク滴を吐出させる吐出口を交互に千鳥状に配置したインクジェット記録ヘッドが開示されている。
【特許文献１】特開平０８−１８３１７９号公報
【特許文献２】米国特許第６１３７５０２号明細書
【発明の開示】
【発明が解決しようとする課題】
【０００８】
しかしながら、引用文献１においては、同一インク流路で異なる液滴を吐出させるため、異なるサイズの液滴によって、ノズル後方からのインク供給速度が変化し、インクジェット記録ヘッドを走させながらプリントを行う、いわゆるシリアル方式の記録装置では、同一の記録ヘッドスキャン時査（スキャン）に異なるサイズの液滴を吐出することが困難であり、複数回の記録ヘッドのスキャンで大中小などの液滴を吐出し分ける必要がある。これは異なるサイズの液滴を同一周波数で吐出することができないため、高精細画像を形成する上では液滴サイズの変調制御が困難であることを意味する。
【０００９】
また、引用文献２に関しては大小の吐出口を同数配置しているため、吐出量を大きく設定すれば大吐出量を使用する高速印字には大きな問題はないが、高画質な階調印字（フォト印字）時には画質の低下の問題が生じる。逆に吐出量を小さく設定した場合には、フォトの画質は良化するが、印字パス数増による速度低下を招く。
【００１０】
本発明は、上述したような課題を考慮したうえで高速かつ高画質の画像形成が可能な液体噴射記録ヘッドを提供することを目的とする。
【課題を解決するための手段】
【００１１】
上述の課題を解決するために、本願発明の液体噴射記録ヘッドは、液体を供給する液体供給口からの液体を該液体供給口の両側に設けられた複数の吐出口から吐出して記録を行う液体噴射記録ヘッドにおいて、前記複数の吐出口は、それぞれ吐出口径の異なる第１の吐出口群、第２の吐出口群、第３の吐出口群を備え、前記第１の吐出口群の吐出口径は他の吐出口群の吐出口径よりも大きく、前記第３の吐出口群の吐出口径は他の吐出口群の吐出口径よりも小さいとともに、前記第１の吐出口群の吐出口数が、他の吐出口群の吐出口数よりも多いことを特徴とする。
【００１２】
上述の構成をとることによって、大ドットによる高速印字（１パス）に対応し、かつ中と小のドットでフォトの高速印字（２パス）に対応し、さらに小ドットのみでのフォト高画質にも対応可能なインクジェット記録ヘッドを提供できる。
【００１３】
また、本発明の他の形態の液体噴射記録ヘッドは、液体を供給する液体供給口からの液体を該液体供給口の両側に設けられた複数の吐出口から吐出して記録を行う液体噴射記録ヘッドにおいて、前記複数の吐出口は、それぞれ吐出口径の異なる第１の吐出口群、第２の吐出口群、第３の吐出口群を備え、前記第１の吐出口群の吐出口径は他の吐出口群の吐出口径よりも大きく、前記第３の吐出口群の吐出口径は他の吐出口群の吐出口径よりも小さいとともに、前記第１の吐出口群は前記液体供給口の片側のみに配置され、該液体供給口の他方には前記第２および第３の吐出口群が交互に配置され、該交互に配置された吐出口の配列密度が、前記第１の吐出口群の配置密度の２倍であることを特徴とする。
【００１４】
上述の構成をとることで、大ドットによる高速印字（１パス）、小ドットのみでのフォト高画質にも対応可能となるだけでなく、中と小のノズルの配列密度が大ノズルの２倍となっているために、中と小のドットでフォトの高速印字をする際に若干キャリッジのスキャンスピードを落とすだけでフォトの高速印字（１パス）が可能となる。
【発明の効果】
【００１５】
本願発明によれば、いずれの形態においても高速印字とフォト高画質を両立することができる。さらに、大、中、小の液滴を吐出するノズルを１つのインク供給口の両側に配置しているので、記録ヘッドの大型化を招くことなく、上記種々の印字モードが低コストで達成可能である。
【発明を実施するための最良の形態】
【００１６】
以下、本発明の具体的な実施形態について図面を参照して説明する。
【００１７】
図８，図９に、本発明を適用可能な記録ヘッドカートリッジ、液体噴射記録ヘッド、液体収納容器を説明するための斜視図を示す。
【００１８】
本実施形態の液体噴射記録ヘッド（以下、単に記録ヘッドと称する。）は、記録ヘッドカートリッジを構成する一構成要素である。すなわち、図６に示すように、記録ヘッドカートリッジＨ１０００は、記録ヘッドＨ１００１と、この記録ヘッドＨ１００１に対して着脱自在に設けられ記録ヘッドＨ１００１にインクを供給するための液体収納容器（以下、インクタンク）Ｈ１９００とを備えて構成されている。そして、記録ヘッドＨ１００１は、インクタンクＨ１９００から供給されたインク等の液体を、記録情報に応じて吐出口から吐出することで、記録媒体に文字や画像等を記録する。
【００１９】
この記録ヘッドカートリッジＨ１０００は、記録装置側が備えるキャリッジに対して着脱可能にされている。この記録ヘッドカートリッジＨ１０００は、キャリッジに設けられた接続端子部を介して電気的に接続されるとともに、キャリッジに設けられた位置決め部によって所定位置に固定されて支持される。
【００２０】
記録ヘッドＨ１００１は、電気信号に応じて膜沸騰をインクに生じさせるための熱エネルギを生成する電気熱変換体として発熱体を用いて記録を行うバブルジェット（登録商標）方式の記録ヘッドである。この記録ヘッドＨ１００１は、図８に示すように、記録用紙等の記録媒体に文字や画像等を記録するための記録素子ユニットＨ１００２と、この記録素子ユニットＨ１００２にインクを供給するためのインク供給ユニットＨ１００３と、このインク供給ユニットＨ１００３にインクを供給するためのインクタンクＨ１９００を着脱可能に保持するためのタンクホルダーＨ２０００とを備えている。
【００２１】
記録素子ユニットは、本実施例ではブラック、シアン，マゼンタ，イエローを吐出するために４組の記録素子部が設けられており、それぞれの色の収容されたインクタンクからのインクを吐出する。
【００２２】
図９に、記録素子ユニットＨ１００２の構成を説明するために１組の記録素子部の一部を切り欠いた斜視図を示す。記録素子部は、厚さ０．５〜１ｍｍ程度のＳｉ基板Ｈ１１１０の一方の面に、インクを吐出するための複数の電気熱変換素子Ｈ１１０３と、各電気熱変換素子Ｈ１１０３に電力を供給するＡｌ等の電気配線とが、それぞれ成膜されて設けられている。そして、記録素子部には、電気熱変換素子Ｈ１１０３に対応する複数のインク流路Ｈ１１１１と複数の吐出口Ｈ１１０７とが、フォトリソグラフィ処理により形成されるとともに、各インク流路Ｈ１１１１に、インクを供給するためのインク供給口Ｈ１１０２を有する共通液室Ｈ１１１２が連通されて形成されている。
【００２３】
インク供給口Ｈ１１０２を有する共通液室Ｈ１１１２は、Ｓｉの結晶方位を利用した異方性エッチング処理やサンドブラスト処理などの処理方法で形成されている。すなわち、Ｓｉ基板Ｈ１１１０が、ウエハー面方向に＜１００＞、厚さ方向に＜１１１＞の結晶方位を持つ場合には、アルカリ系（ＫＯＨ，ＴＭＡＨ，ヒドラジン等）による異方性エッチング処理によって、約５４．７度の角度でエッチング処理を進行させて得る。これにより所望の深さにエッチング処理を行い、貫通口からなる長溝状のインク供給口Ｈ１１０２を有する共通液室Ｈ１１１２を形成する。
【００２４】
また、記録素子部には、インク供給口Ｈ１１０２を間に挟んで両側に電気熱変換素子Ｈ１１０３がそれぞれ１列ずつ千鳥状に配列されている。電気熱変換素子Ｈ１１０３と、この電気熱変換素子Ｈ１１０３に電力を供給するＡｌ等の電気配線が、成膜されて形成されている。さらに、電気配線に電力を供給するための電極Ｈ１１０４が、電気熱変換素子Ｈ１１０３の両外側に配列されている。この電極Ｈ１１０４には、Ａｕ等のバンプＨ１１０５が熱超音波圧着法で形成されている。そして、Ｓｉ基板Ｈ１１１０上には、各電気熱変換素子Ｈ１１０３に対応したインク流路Ｈ１１１１を構成するインク流路壁Ｈ１１０６と吐出口Ｈ１１０７が樹脂材料でフォトリソグラフィ処理によりに形成され、吐出口群Ｈ１１０８が形成されている。電気熱変換素子Ｈ１１０３に対向する位置に吐出口Ｈ１１０７が設けられているため、インク供給口Ｈ１１０２からインク流路Ｈ１１１１内に供給されたインクは、電気熱変換素子Ｈ１１０３の発熱作用により発生した気泡によって吐出口Ｈ１１０７から吐出される。
【００２５】
以下、本発明の各実施形態について説明するが、吐出口の配置を説明する説明図では、一組の記録素子部のみについて説明することとし、必要に応じ全ての記録素子部について同様の配置をしても良いし、特定の色を吐出する記録素子部（例えばブラックのみ、あるいはブラック以外のみ）についてのみ、各実施形態を適用しても良いものとする。
【００２６】
［第１実施形態］
図１は、本発明の第１実施形態における、吐出口の配置を説明する模式的説明図である。
【００２７】
本実施形態では、吐出口径の最も大きい第１の吐出口群１と、それより小さい第２の吐出口群２，最も小さい第３の吐出口群３を備えている。第１の吐出口群から吐出される液滴が最も大きく、第３の吐出口群から吐出される液滴が最も小さい。そこで、以下、第１の吐出口群１のノズルを大ノズル、第２の吐出口群２のノズルを中ノズル、第２の吐出口群３のノズルを小ノズル、とし、各吐出口から吐出される液滴を、それぞれ大ドット、中ドット、小ドットとして説明する。
【００２８】
本実施形態は、インク供給口４の両側に複数の吐出口が配列しており、一方に大ドットを吐出する大ノズル１の列、他方に中ドットを吐出する中ノズル２と小ドットを吐出する小ノズル３が交互に配置された列からなる。
【００２９】
ここでインク供給口４および吐出口１〜３はそれぞれ、図９のインク供給口Ｈ１１０２およびインク吐出口Ｈ１１０７に対応している。また、わかりやすくする為に各列１０ノズル分のみを記載している。
【００３０】
大中小の各ノズルの吐出量は、吐出口の配列ピッチＰやインクの物性等によって変わるが、本実施形態においては、吐出口の配列ピッチＰは６００ｄｐｉ、また大ノズルの吐出量は１２ｐｌ、中ノズルの吐出量は４．５ｐｌ、小ノズルの吐出量は１．５ｐｌの場合を以下に説明する。
【００３１】
図２に本実施形態のヘッドによる各印字モードにおける印字状態を示す。図２において（ａ）は普通紙カラー印字等の高速印字に対応した印字パターン、（ｂ）はフォトの高速印字に対応した印字パターン、（ｃ）はフォトの高画質に対応した印字パターンである。また（ａ）、（ｂ）、（ｃ）の記号の後ろの数字はマルチパス印字のパス数を示し、印字ドットが塗られているものがそのパス数で印字されたドット、印字ドットが白抜けのものがすでに前のパスで印字されたドットを示す。さらに本図においては、わかりやすくする為に、２ピッチ分（３００ｄｐｉ角）のドットの打ち込み状態のみを記載しており、ドットの大きさも実際よりも小さくしている。
【００３２】
次に図２を用いて各モードの印字状態を詳細に説明する。
【００３３】
図２（ａ）−１は、上記のように普通紙カラー印字等の高速印字に対応した印字パターンであり、大ノズル１より吐出された大ドット１１のみで印字される。ここで図１に示すように大ノズル１はピッチＰで配列されているので、図２（ａ）−１に示すように２ピッチ分に２ドット同時に印字可能である。そして、スキャン方向にピッチＰの位置で次の印字を行う。すなわち本実施例においては１パスで所望の打ち込み（１００％）の印字が可能である。この時２ピッチ分のピクセルには大ドット１１が４ドット打ち込まれるので、合計の打ち込み量は、４×１２ｐｌ＝４８ｐｌとなる。
【００３４】
図２（ｂ）−１、図２（ｂ）−２は、上記のようにフォトの高速印字に対応した印字パターンであり、中ノズル２より吐出された中ドット１２と小ノズル３より吐出された小ドット１３で印字される。ここで図１に示すように中・小の各ノズル２・３はピッチＰの間隔で交互に配列されているので、図２（ｂ）−１に示すように１パス目に２ピッチ分には中ドット１２と小ドット１３が同時に印字可能される。そして、スキャン方向にピッチＰの１／２の位置で次の印字を行う。すなわち６００ｄｐｉ×１２００ｄｐｉの印字となる。ここで、印字ドットの吐出周波数は、印字ドットの大きさ（吐出量）に大きく依存しており、ドットが小さいほどインクの戻り（以下リフィル時間）が早い為高い周波数での印字が可能である。本印字モードにおいては、大ドット１１を吐出する大ノズルを使用していないので、図２（ａ）の大ドット１１を吐出するノズルを使用した印字よりも高周波数の印字が可能である。本実施例においては、（ａ）の印字モードの駆動周波数が１５ｋＨｚに対し、倍の３０ｋＨｚの印字が可能であった。すなわち（ａ）と同じキャリッジのスキャン速度での印字が可能である。次に図２（ｂ）−２に示すようにピッチＰの奇数倍の紙送りを行った後２パス目に中ドット１２の上に小ドット１３が、小ドット１３の上に中ドット１２が印字される。これにより本実施例においてはキャリッジのスキャンスピードを落とすことなく２パスで所望の打ち込み（１００％）となるので、フォトの高速印字が可能である。この時２ピッチ分のピクセルには中・小ドット１２・１３がそれぞれ８ドット打ち込まれるので、合計の打ち込み量は、８×（４．５＋１．５）ｐｌ＝４８ｐｌであり、（ａ）の印字と同じ打ち込み量となる。
【００３５】
図２（ｃ）−１〜図２（ｃ）８は、上記のようにフォトの高画質印字に対応した印字パターンであり、小ノズル３より吐出された小ドット１３のみで印字される。ここで図１に示すように中・小ノズル２・３はピッチＰの間隔で交互に配列されているので、図２（ｃ）−１に示すように１パス目に２ピッチ分には小ドット１３が１列のみ印字される。本印字モードにおいては小ドット１３のみを印字しているので、当然印字周波数は（ｂ）の印字モードよりさらに高くすることが可能である。本実施形態では、キャリッジのスキャン速度を統一する観点より印字モード（ｂ）と同じ３０ｋＨｚでの印字を行った。次に図２（ｃ）−２に示すようにピッチＰの奇数倍の紙送りを行った後２パス目に小ドット１３を１列印字する。次に図２（ｃ）−３に示すようにピッチＰよりも１／２ピッチずらした紙送りを行った後３パス目の印字を行う。同様に（ｃ）−４に示すようにピッチＰの奇数倍の紙送りを行った後４パス目の印字を行う。次に（ｃ）−５に示すようにピッチＰよりも１／４ピッチずらした紙送りを行った後５パス目の印字をスキャン方向にも１／４ピッチずらして５パス目の印字を行う。（ｃ）−６〜８は（ｃ）−２〜４と同様に６から８パス目の印字を行う。すなわち２４００ｄｐｉ＊２４００ｄｐｉの印字となる。
【００３６】
本実施例では、図２（ｃ）−１〜図２（ｃ）−４と図２（ｃ）−５〜図２（ｃ）−８の印字ドットをずらした例を示したが、上述したように実際のドットは図２のドットより大きいので、図２（ｃ）−１〜図２（ｃ）−４と図２（ｃ）−５〜図２（ｃ）−８の印字ドットを重ねても良好な印字が得られた。すなわち本実施例においては８パスで所望の打ち込み（１００％）となるので、フォトの高画質印字が可能である。この時２ピッチ分のピクセルには小ドット１３が３２ドット打ち込まれるので、合計の打ち込み量は、３２×１．５ｐｌ＝４８ｐｌであり、（ａ）および（ｂ）の印字と同じ打ち込み量となる。
【００３７】
以上述べたように本実施例によれば、大・中・小の吐出量を持つノズル群を備えたインクジェットヘッドにおいて、大ドットの吐出口の数が多いため高速印字（１パス）が可能であり、かつ中と小のドットでフォトの高速印字（２パス）にも対応可能であり、さらに小ドットのみでのフォト高画質にも対応可能である。
【００３８】
以上本実施形態について説明してきたが、もちろん大中小の吐出量や印字モードは本実施形態の数字に限定されるものではない。例えば、大中小を同時に使用して階調印字を行うことにより、フォト印字の印字パス数を減らすことも可能である。
【００３９】
［第２実施形態］
図３（ａ）は本発明の第２実施形態における、吐出口の配置を説明する模式的説明図である。本実施形態の特徴は、大ドットの吐出口１がインク供給口４の両側に配置されていることである。吐出口の数は、大中小の各ノズルともそれぞれ第１実施形態と同じであり、大ドットを吐出する大ノズル１が中・小のドッドを吐出する中ノズル２・小ノズル３に対して倍となっている。すなわち供給口の片側に、大ドットを吐出する大ノズル１と中ドットを吐出する中ノズル２が交互に配置された列を有し、その対岸に小ドットを吐出する小ノズル３と大ドットを吐出する大ノズル１が交互に配置された列からなる構成となっている。
【００４０】
各印字モードにおける印字状態については、第１実施形態に対して大中小の吐出口の配置がインク供給口の変わっただけであり、図２に示す印字モードの印字が可能である。すなわち本実施形態でも、大・中・小の吐出量を持つノズル群を備えたインクジェットヘッドにおいて、大ドットの吐出口の数が多いため高速印字（１パス）が可能であり、かつ中と小のドットでフォトの高速印字（２パス）にも対応可能であり、さらに小ドットのみでのフォト高画質にも対応可能である。
【００４１】
さらに本実施例においては、大の吐出量を吐出する吐出口１と中（または小）の吐出量を吐出する吐出口２（または吐出口３）が交互に配置された構造となっている為、大ドットと、中ドットまたは小ドットを同時に印字するモード以外では隣接ノズルが使用されない構成となっている。図２に示した印字モードにおいて、上記のように（ａ）は大のドットのみによる高速印字、（ｂ）は中小のドットによるフォトの高速印字、（ｃ）は小のドットのみによるフォト高画質印字であり、どのモードにおいても隣接ノズルが使用されることはない。一般にインクジェット記録ヘッドにおいては、近隣ノズルの駆動による影響で吐出状態が変化してしまう所謂クロストークが問題となるが、本実施形態では上記のように最も影響の大きい隣接ノズルが同時に使用されないのでクロストークを大幅に低減できる。
【００４２】
なお、図３（ｂ）、図３（ｃ）はそれぞれ図３（ａ）に示す第２実施形態の変形例であり、図３（ｂ）は、図３（ａ）に対して大の吐出量を吐出する吐出口１のみ駆動に合わせて吐出口位置をずらした例である。一般にインクジェット記録ヘッドにおいては、電圧降下等の観点から、すべてのノズルを同時に吐出するのではなく複数に分割して時間をずらして吐出するよう駆動している。当然時間をずらして駆動されるとキャリッジのスキャンに伴い印字位置がずれることになる。本実施例では、このずれを無くす為、吐出口１の位置をあらかじめ駆動に合わせずらしている。図示していないが、リフィル時間が異ならないようノズルのインク流入部の形状で調整している。また本変形例では、ドットが大きく印字のずれが目立ちやすい、大の吐出量を吐出する吐出口１のみ駆動に合わせ吐出口位置をずらしているが、もちろん中小にも同様の位置ズラシを適用してもかまわない。
【００４３】
図３（ｃ）は、図３（ａ）から大ノズル１に対し中・小のノズル２・３を千鳥に配置した図である。本実施例においては、中・小のノズル２・３をインク供給口４に近い側に配置している。これにより、中・小のノズルのリフィル時間を早くし図２のモード（ｂ）、（ｃ）をより高い周波数で印字することによりフォト印字の更なる高速化に対応した実施例である。本変形例においては、中・小のノズル２・３をインク供給口４に近い側に配置したが、もちろん大ノズル１をインク供給口４に近い側に配置して図２のモード（ａ）の１パスでの高速印字を優先する対応も可能である。
【００４４】
［第３実施形態］
図４は本発明の第３実施形態における、吐出口の配置を説明する模式的説明図である。本実施形態の特徴は、大ノズルの配置密度に対して中・小ノズルの配置密度を高密度にしている点である。本実施形態では大ノズルの配列ピッチは６００ｄｐｉ、中小ノズルの配列ピッチは９００ｄｐｉとなっている。
【００４５】
このように、大ノズルの配置密度に対して中・小ノズルの配置密度を高密度にすることで、後述するように中・小ノズルを用いたフォト高速記録を１パスで行うことができる。
【００４６】
［第４実施形態］
図５（ａ）は、本発明の第４実施形態における、吐出口の配置を説明する模式的説明図である。
【００４７】
本実施形態では、インク供給口４の両側に吐出口群が配列しており、片側に大ドッドを吐出する大ノズル１の列、その対岸に中ドットを吐出する中ノズル２と小ドットを吐出する小ノズル３が交互に配置されている。そして、大ノズルの配置密度に対し、中・小ノズルの配置密度が倍になるよう配置されている。中小のドットを吐出するには大ドットを吐出するのに比べ、電気熱変換素子が小さくてすむのでこれを駆動する為のトランジスタサイズの小型化が可能である。また当然吐出口等のノズルのサイズも小さくなるので、本実施形態のように大ノズルの配置密度に対し中・小ノズルの配置密度を高密度に配列することが可能となる。
【００４８】
大中小それぞれの吐出量は、吐出口の配列ピッチＰやインクの物性等によって変わるが、本実施例においては、大ノズルの配列ピッチＰは６００ｄｐｉであり中小ノズルの配列ピッチは１２００ｄｐｉ、また大ドットは１２ｐｌ、中ドットは４．５ｐｌ、小ドットは１．５ｐｌの場合を以下に説明する。
【００４９】
図６に本実施形態のヘッドによる各印字モードにおける印字状態を示す。図６において（ａ）は普通紙カラー印字等の高速印字に対応した印字パターン、（ｂ）はフォトの高速印字に対応した印字パターン、（ｃ）はフォトの高画質に対応した印字パターンである。また（ａ）、（ｂ）、（ｃ）の記号の後ろの数字はマルチパス印字のパス数を示し、印字ドットが塗られているものがそのパス数で印字されたドット、印字ドットが白抜けのものがすでに前のパスで印字されたドットを示す。さらに本図においては、わかりやすくする為に、２ピッチ分（３００ｄｐｉ角）のドットの打ち込み状態のみを記載しており、ドットの大きさも実際よりも小さくしている。
【００５０】
次に各モードの印字状態を詳細に説明する。
【００５１】
図６（ａ）−１は、上記のように普通紙カラー印字等の高速印字に対応した印字パターンであり、大ノズル１より吐出された大ドット１１のみで印字される。ここで図１に示すように大ノズル１はピッチＰで配列されているので、図２（ａ）−１に示すように２ピッチ分に２ドット同時に印字可能である。そして、スキャン方向にピッチＰの位置で次の印字を行う。すなわち本実施例においては１パスで所望の打ち込み（１００％）の印字が可能である。この時２ピッチ分のピクセルには大ドット１１が４ドット打ち込まれるので、合計の打ち込み量は、４×１２ｐｌ＝４８ｐｌとなる。
【００５２】
図６（ｂ）−１は、上記のようにフォトの高速印字に対応した印字パターンであり、中ノズル２より吐出された中ドット１２と小ノズル３より吐出された小ドット１３で印字される。ここで図５（ａ）に示すように中・小ノズル１２・１３はピッチＰの２倍の間隔で交互に配列されているので、図６（ｂ）−１に示すように２ピッチ分には中ドット１２と小ドット１３が同時に各２ドット印字される。すなわち１２００ｄｐｉ＊１２００ｄｐｉの印字となる。ここで、印字ドットの吐出周波数は、印字ドットの大きさ（吐出量）に大きく依存しており、ドットが小さいほどインクの戻り（以下リフィル時間）が早い為高い周波数での印字が可能である。本印字モードにおいては、大ドット１１を吐出するノズルを使用していないので、図６（ａ）の大ドット１１を吐出するノズルを使用した印字よりも高周波数の印字が可能である。本実施形態においては、（ａ）の印字モードの駆動周波数が１５ｋＨｚに対し、２４ｋＨｚの印字が可能であった。これにより本実施形態においては、（ａ）の印字より若干キャリッジのスキャンスピードを落とすだけで、１パスで所望の打ち込み（１００％）となるので、フォトの高速印字が可能である。この時２ピッチ分のピクセルには中・小ドット１２・１３がそれぞれ８ドット打ち込まれるので、合計の打ち込み量は、８×（４．５＋１．５）ｐｌ＝４８ｐｌであり、（ａ）の印字と同じ打ち込み量となる。
【００５３】
図６（ｃ）−１〜図６（ｃ）−４は、上記のようにフォトの高画質印字に対応した印字パターンであり、小ノズル３より吐出された小ドット１３のみで印字される。ここで図５（ａ）に示すように中・小ノズル１２・１３はピッチＰの２倍の間隔で交互に配列されているので、図６（ｃ）−１に示すように１パス目に２ピッチ分には小のドット１３が２列印字される。本印字モードにおいては小ドット１３のみを印字しているので、当然印字周波数は（ｂ）の印字モードよりさらに高くすることが可能である。本実施形態では、キャリッジのスキャンスピードが（ａ）と同じになる３０ｋＨｚでの印字を行った。次に図６（ｃ）−２に示すようにピッチＰよりも１／２ピッチずらした紙送りを行った後２パス目に小ドット１３を２列印字する。次に図６（ｃ）−３に示すようにピッチＰよりもよりも１／４ピッチずらした紙送りを行った後３パス目の印字をスキャン方向にも１／４ピッチずらして行う。同様に図６（ｃ）−４に示すようにピッチＰよりも１／２ピッチずらした紙送りを行った後４パス目の印字を同様に行う。すなわち２４００ｄｐｉ＊２４００ｄｐｉの印字となる。本実施形態では、図６（ｃ）−１、図６（ｃ）−２と図６（ｃ）−３、図６（ｃ）−４の印字ドットをずらした例を示したが、上述したように実際のドットは図６のドットより大きいので、図６（ｃ）−１、図６（ｃ）−２と図６（ｃ）−３、図６（ｃ）−４の印字ドットを重ねても良好な印字が得られた。すなわち本実施形態においては４パスで所望の打ち込み（１００％）となるので、フォトの高画質印字が可能である。この時２ピッチ分のピクセルには小ドット１３が３２ドット打ち込まれるので、合計の打ち込み量は、３２×１．５ｐｌ＝４８ｐｌであり、（ａ）および（ｂ）の印字と同じ打ち込み量となる。
【００５４】
以上述べたように本実施形態によれば、大・中・小の吐出量を持つノズル群を備えたインクジェットヘッドにおいて、大ドットの吐出口で１列の吐出口群を形成しているため高速印字（１パス）が可能であり、かつ中と小のノズルを高密度に配置しているため若干キャリッジのスキャンスピードを落とすだけで、フォトの高速印字（１パス）にも対応可能であり、さらに小ドットのみでのフォト高画質にも対応可能である。
【００５５】
以上本実施形態について説明してきたが、もちろん大中小の吐出量や印字モードは本実施例の数字に限定されるものではない。たとえば、大の吐出量のみを６ｐｌとすると、図６（ａ）−１に示す高速印字モードの変わりに、図７に示すような印字モードで高速印字を行うことができる。すなわち、図からわかるように高速印字モードにおいて、大の吐出量を小さくした分、中小ドットを印字することにより打ち込み量を確保している。この時２ピッチ分のピクセルには大中小ドットが各４ドット打ち込まれるので、合計の打ち込み量は、４＊（６＋４．５＋１．５）ｐｌ＝４８ｐｌであり、図６（ａ）と同じ打ち込み量となる。これにより大の吐出量が小さい分リフィル時間が早く、高い周波数での印字が可能となり印字速度の更なる高速化が実現できる。
【００５６】
なお、図５（ｂ）は図５（ａ）の変形例を示す図であり、第４実施形態から中・小ノズル２・３を千鳥状に配置している。本変形例においては、中ノズル２をインク供給口４に近い側に配置していることで、中ノズルのリフィル時間を早くし図６のモード（ｂ）をより高い周波数で印字することによりフォト高速印字の更なる高速化に対応できる。
【図面の簡単な説明】
【００５７】
【図１】本発明の第１実施形態の吐出口配列を説明するための説明図である。
【図２】本発明の第１実施形態の液体噴射記録ヘッドによる、各印字モードにおける印字状態を説明するための説明図である。
【図３】本発明の第２実施形態の吐出口配列を説明するための説明図である。
【図４】本発明の第３実施形態の吐出口配列を説明するための説明図である。
【図５】本発明の第４実施形態の吐出口配列を説明するための説明図である。
【図６】本発明の第４実施形態の液体噴射記録ヘッドによる、各印字モードにおける印字状態を説明するための説明図である。
【図７】本発明の第４実施形態の液体噴射記録ヘッドによる、印字モードの変形例における印字状態を説明するための説明図である。
【図８】本発明に適用可能な記録カートリッジの斜視図である。
【図９】本発明に適用可能な記録素子基板の構成を示す一部切り欠き説明斜視図である。
【符号の説明】
【００５８】
１  大ノズル
２  中ノズル
３  小ノズル
４、Ｈ１１０２  インク供給口
Ｈ１０００  記録ヘッドカ−トリッジ
Ｈ１００１  記録ヘッド
Ｈ１００２  記録素子ユニット
Ｈ１００３  インク供給ユニット
Ｈ１１０３  電気熱変換素子（記録素子）
Ｈ１１０４  電極
Ｈ１１０５  バンプ
Ｈ１１０６  インク流路壁
Ｈ１１０７  吐出口
Ｈ１１０８  吐出群
Ｈ１１１０  Ｓｉ基板
Ｈ１９００  インクタンク
Ｈ２０００  タンクホルダー
【図１】
2006076010.tif 000003
【図２】
2006076010.tif 000004
【図３】
2006076010.tif 000005
【図４】
2006076010.tif 000006
【図５】
2006076010.tif 000007
【図６】
2006076010.tif 000008
【図７】
2006076010.tif 000009
【図８】
2006076010.tif 000010
【図９】
2006076010.tif 000011